(57)【特許請求の範囲】
【請求項１】
底板の両端縁から側板が直立する弾性樹脂製の台板と、前記台板の側板相互間に架橋状に配設される綴じ棒と、前記綴じ棒を前記側板に固定する止め具とからなり、少なくとも一方の側板が前記底板に対して屈曲自在に連結されている綴じ具において、
前記屈曲自在な側板は所定の長さを有する薄肉部によって前記底板に連結されており、
前記側板に綴じ棒を固定する止め具は、前記綴じ棒が前記側板相互間に架橋された状態において側板の外側に突出される前記綴じ棒の突出端部に係脱自在に係合される係止孔が形成される弾性樹脂製の係止板であって、前記係止板は、前記突出端部が突出される側板の上端縁に所定の長さの薄肉部によって屈曲自在に連結されており、前記係止板の自由端縁には長手方向に沿って引掛け部が形成され、且つこの係止板を連結する側板の外面に形成する係合突起を係脱自在に弾性係合させる係合孔が形成されていることを特徴とする綴じ具。
【請求項２】
底板の両端縁から側板が直立する弾性樹脂製の台板と、前記台板の側板相互間に架橋状に配設される綴じ棒と、前記綴じ棒を前記側板に固定する止め具とからなり、少なくとも一方の側板が前記底板に対して屈曲自在に連結されている綴じ具において、
前記屈曲自在な側板は所定の長さを有する薄肉部によって前記底板に連結されており、
前記側板に綴じ棒を固定する止め具は、前記綴じ棒が前記側板相互間に架橋された状態において側板の外側に突出される前記綴じ棒の突出端部に係脱自在に係合される係止孔が形成される弾性樹脂製の係止板であって、前記係止板は、前記突出端部が突出される側板の上端縁に所定の長さの薄肉部によって屈曲自在に連結されており、前記係止板の自由端縁には長手方向に沿って引掛け部が形成されており、
前記綴じ棒は、一方の側板の外面に押込み阻止状態に当接される基部が形成される保持端部と、他方の側板から外側に突出されて前記係止板に係脱自在に係合される突出端部とからなる棒体であって、前記基部には、前記一方の側板に嵌合される突起が形成されていることを特徴とする綴じ具。
【発明の詳細な説明】
【０００１】
【発明の属する技術分野】
本発明は、紙片や台紙、カタログ等の被綴込物を綴じ込むためのファイルや見本帳等に用いられる断面Ｕ字状の台板と、被綴込物を挿通保持する綴じ棒と、前記綴じ棒を前記台板に固定する止め具とからなる綴じ具に関する。特に、弾性樹脂材から成形される台板の底板と側板とが屈曲自在に連結されている綴じ具に関する。
【０００２】
【従来の技術】
ファイルや見本帳等に用いられる綴じ具として、前記ファイルや見本帳等の背表紙部内側に止め付けられる断面Ｕ字状の台板と、紙片や台紙等の被綴込物を挿通保持すると共に前記台板に架橋状に配設される綴じ棒とからなる綴じ具が知られている。
【０００３】
従来の綴じ具には、一般的に、底板の両端縁から側板が直立する断面Ｕ字状に予め成形された台板を用いており、前記側板相互間において綴じ棒に被綴込物を挿通保持させた後に、前記綴じ棒を止め具によって前記側板に固定させることで綴じ具に被綴込物を綴じ込ませていた。また、このような構成の綴じ具は、大量又は重量の大きな被綴込物の綴込みに用いられることが多いため、使用や衝撃等による綴じ具の破損や被綴込物の脱落を防止するために前記綴じ棒を台板に強固に固定させているものが多い。例えば、一旦固定すると前記綴じ棒が取外し不能となるものや、特別な治具や道具等を用いなければ綴じ込み作業や綴じ具の分解ができないものもある。
【０００４】
近年、環境に配慮した商品の推奨やゴミの分別の法制化等に伴って、従来は使い捨てが主流であった綴じ具も再利用や分別廃棄が可能な構成とする必要性が高まっており、特別な治具や道具等を用いずに誰にでも簡単に被綴込物の綴じ込みや差替え作業、綴じ具の分解が行える構成の綴じ具の開発が求められている。
【０００５】
このような再利用及び分別廃棄が容易な綴じ具として、図１４及び図１５に示されるように、弾性合成樹脂製の台板１の側板１０を底板１２に対して屈曲自在に連結させたものがある。
【０００６】
この例の綴じ具は、被綴込物としてカーテンや壁紙等などのサンプルが貼着された台紙４，４を綴込む見本帳に用いられるもので、見本帳の表装紙５の背表紙部５０に止め付けられる底板１２とその両端縁に屈曲自在に連結される一対の側板１０，１０とからなる台板１と、前記側板１０，１０相互間に架橋状に貫通される綴じ棒２，２と、前記綴じ棒２，２を前記台板１に抜け止め状態に固定する止めネジ３０，３０とから構成されている。
【０００７】
このものでは、図１５に示されるように、前記底板１２と一対の側板１０，１０とを直線状に伸ばした平板状の台板１の一方の側板１０に一端に止めネジ３０を配設した綴じ棒２，２を外側から指し込み直立状態として、前記綴じ棒２，２に上方から台紙４，４を挿通させた後、台紙４，４を挿通保持する前記綴じ棒２，２ともども前記側板１０を直立させる。次に、前記綴じ棒２，２の自由側の端部が貫通孔１１を貫通するように他方の側板１０を直立させて、前記綴じ棒２，２を前記側板１０，１０相互間に架橋状に貫通させた後、前記他方の側板１０から突出された前記綴じ棒２，２の端部に止めネジ３０，３０を配設して前記綴じ棒２，２を台板１に固定させることで前記台紙４，４を綴じ込むことができる。また、前記綴じ棒２，２の端部に配設された止めネジ３０，３０を取外すことで前記綴じ棒２，２の固定を解除してこの綴じ具を分解することができる。
【０００８】
このような構成であるから、この例の綴じ具は、前記綴じ棒２，２への台紙４，４の挿通保持が容易であると共に、前記台板１への前記綴じ棒２，２の固定及び固定の解除が容易であるため、綴じ具の再利用や分別廃棄が容易である。また、流通時や保管時に前記台板１を平板状としてコンパクトに収納できるという利点もある。
【０００９】
【発明が解決しようとする課題】
しかしながら、上記綴じ具においては、前記底板１２と前記側板１０，１０を屈曲自在としているために、図１５に示されるように、前記底板１２と側板１０，１０との連結部を断面Ｖ字状に成形するＶ溝１６としている。そのため、前記側板１０，１０を繰返し屈曲することでＶ溝１６が可塑変形されて前記底板１２と側板１０，１０とが容易に断裂されることがある。また、断裂に至らなくても可塑変形によってＶ溝１６が弱体化されることにより、例えば、見本帳を背表紙部５０が上側になる姿勢で持ち運ぶ場合のように、前記側板１０，１０に貫通される前記綴じ棒２，２に挿通保持された台紙４，４の重量がかかる場合や落下の衝撃を受ける場合に、前記底板１２と側板１０，１０とが断裂して綴じ具が容易に破損されてしまう可能性がある。
【００１０】
以上のように、側板１０を屈曲自在に連結することで再利用を重ねる毎に徐々に綴じ具の耐久性が低下されて荷重や軽い衝撃によって破損され易くなってしまうという問題がある。
【００１１】
本発明は上記事情を鑑みてなされたものであり、『底板の両端縁から側板が直立する弾性樹脂製の台板と、前記台板の側板相互間に架橋状に配設される綴じ棒と、前記綴じ棒を前記側板に固定する止め具とからなり、前記底板に少なくとも一方の側板が屈曲自在に連結されている綴じ具』において、繰返して再利用する場合にも高い耐久性を維持できることを課題とする。
【００１２】
【課題を解決するための手段】
（１）本発明に係る綴じ具（請求項１）は、底板の両端縁から側板が直立する弾性樹脂製の台板と、前記台板の側板相互間に架橋状に配設される綴じ棒と、前記綴じ棒を前記側板に固定する止め具とからなり、少なくとも一方の側板が前記底板に対して屈曲自在に連結されている綴じ具において、前記屈曲自在な側板は所定の長さを有する薄肉部によって前記底板に連結されており、前記側板に綴じ棒を固定する止め具は、前記綴じ棒が前記側板相互間に架橋された状態において側板の外側に突出される前記綴じ棒の突出端部に係脱自在に係合される係止孔が形成される弾性樹脂製の係止板であって、前記係止板は、前記突出端部が突出される側板の上端縁に所定の長さの薄肉部によって屈曲自在に連結されており、前記係止板の自由端縁には長手方向に沿って引掛け部が形成され、且つこの係止板を連結する側板の外面に形成する係合突起を係脱自在に弾性係合させる係合孔が形成されていることを特徴とするものである。
これによると、底板と側板の連結部において薄肉部がヒンジとして機能すると共に前記薄肉部はその長さに応じて変形に対する自由度を有している。そのため、前記側板を前記底板に対して屈曲させる場合に、前記自由度によって前記底板と側板との連結部に作用する引張り応力又は圧縮応力を緩和させて、前記側板の繰返し屈曲による前記連結部の疲労や可塑変形を防止することができる。
【００１３】
尚、前記薄肉部の長さは、前記側板を屈曲する際に前記連結部に作用する圧縮応力と引張り応力による疲労や可塑変形を防止できる長さとなるように設定すればよい。具体的には、前記台板を構成する合成樹脂材の肉厚程度の長さから前記肉厚の３倍程度の長さに設定するのが望ましい。
また、前記台板は、一方の側板のみが前記底板に対して屈曲自在に連結されるものであっても、両方の側板が屈曲自在に連結されるものであってもよい。
【００２１】
そして、このものでは、係止板が前記側板の上端縁に連結されているため、前記係止板を前記側板に重ね合わせるように屈曲させるだけで前記綴じ棒を側板に固定できる。
また、前記係止板は、この係止板を連結する側板の外面に形成する係合突起を係脱自在に弾性係合させる係合孔が形成されているので、前記側板と前記係止板との密接な重ね合わせ状態を保持させることができる。
また、前記引掛け部に指先等を差し入れて前記係止板を重ね合せ状態から逆方向に屈曲させることで前記固定を解除できるため、前記綴じ棒の前記側板への固定及び固定の解除が容易である。
【００２２】
また、側板と係止板とを連結する前記薄肉部がヒンジとして機能すると共にその長さに応じて変形に対する自由度を有しているため、前記係止板を前記側板に対して屈曲させる場合に、前記底板と側板との連結部に作用する引張り応力又は圧縮応力が緩和されて、前記係止板の繰返し屈曲による前記連結部の疲労や可塑変形を防止することができる。そのため、前記係止板を前記綴じ棒を固定する方向又は前記固定を解除する方向へ繰返し屈曲させても前記係止板と側板とが断裂されにくい。
【００２３】
これより、このような構成の綴じ具は、被綴込物を差替えて繰返して再利用する場合にも、変らずに容易に前記綴じ棒の固定及び固定の解除ができるため、綴じ具への被綴込み物の綴じ込み及び差替えを容易に行うことができる。
尚、前記薄肉部の長さは、前述の１項と同様に、前記薄肉部に作用する圧縮応力と引張り応力による疲労や可塑変形を防止できる長さであればよい。
【００２４】
（２）また、本発明に係る綴じ具（請求項２）は、底板の両端縁から側板が直立する弾性樹脂製の台板と、前記台板の側板相互間に架橋状に配設される綴じ棒と、前記綴じ棒を前記側板に固定する止め具とからなり、少なくとも一方の側板が前記底板に対して屈曲自在に連結されている綴じ具において、前記屈曲自在な側板は所定の長さを有する薄肉部によって前記底板に連結されており、前記側板に綴じ棒を固定する止め具は、前記綴じ棒が前記側板相互間に架橋された状態において側板の外側に突出される前記綴じ棒の突出端部に係脱自在に係合される係止孔が形成される弾性樹脂製の係止板であって、前記係止板は、前記突出端部が突出される側板の上端縁に所定の長さの薄肉部によって屈曲自在に連結されており、前記係止板の自由端縁には長手方向に沿って引掛け部が形成されており、前記綴じ棒は、一方の側板の外面に押込み阻止状態に当接される基部が形成される保持端部と、他方の側板から外側に突出されて前記係止板に係脱自在に係合される突出端部とからなる棒体であって、前記基部には、前記一方の側板に嵌合される突起が形成されていることを特徴とするものである。
このものでは、上記請求項１と同じ構成部分による作用に加えて、前記突起によって前記基部と一方の側板とを移動阻止状態に保持されるから前記側板相互間に貫通された綴じ棒の揺動が防止される。そのため、被綴込物を安定して挿通保持することができる。
【００２５】
【発明の効果】
本発明は、上記構成であるから次の特有の効果を有する。
本発明の構成の台板は、底板と側板の連結部に位置する薄肉部によって前記側板を屈曲させる際に前記連結部に作用する引張り応力又は圧縮応力を防止させることで前記連結部の疲労や可塑変形を防止しているため、前記底板に対して屈曲自在に連結されている前記側板を前記底板に対して直立させる方向又は逆に前記直立状態を解除する方向へ繰返し屈曲させても前記側板と底板とが断裂されにくい。そのため、このような構成の綴じ具は、再利用する毎に耐久性が低下されるようなことがなく、被綴込物を差替えて繰返して再利用する場合にも高い耐久性を維持することができる。
【００３０】
そして、綴じ棒の固定及び固定の解除が容易にでき、しかも、台板に連結された係止板の断裂が防止されるため、被綴込物を差替えて繰返して再利用する場合も、変らずに綴じ具への被綴込み物の綴じ込み及び差替えを容易に行うことができる。
【００３１】
また、請求項２のものでは、基部に形成された突起によって側板相互間に貫通される綴じ棒の揺動が防止されるため、被綴込物を安定して挿通保持することができる。
【００３２】
【発明の実施の形態】
以下に、本発明の実施の形態について添付図面を参照しながら詳述する。
本発明実施の形態の綴じ具を見本帳に用いた例を図１及び図２に示している。
この綴じ具は、図１及び図２に示されるように、見本帳の表装紙５の背表紙部５０の内側に止付けられる底板１２とその両端縁から直立される側板１０ａ，１０ｂとからなる台板１と、前記側板１０ａ，１０ｂ相互間に架橋状に貫通されると共に被綴込物である台紙４，４を挿通保持する綴じ棒２，２と、前記側板１０ｂの上端縁に屈曲自在に連結され前記綴じ棒２を前記側板１０ｂに固定する前記側板１０ｂと略同形の係止板３から構成されている。
【００３３】
前記係止板３には、この係止板３を外側に折り曲げて前記他方の側板１０ｂと重ね合せる際に、前記他方の側板１０ｂの外側に突出される綴じ棒２の先端部に係脱自在に係合され前記綴じ棒２，２を側板１０ｂに抜け止め状態に固定する係止孔３１が所定の間隔で形成されている。
また、この綴じ具を構成する台板１、綴じ棒２，２及び係止板３はすべて弾性合成樹脂材からなっている。
【００３４】
＊台板１
台板１は、図４に示されるように、見本帳の背表紙部５０に略一致する大きさの矩形状の底板１２と、この底板１２の一方の端縁に直立状態に連結される側板１０ａと、他方の端縁に屈曲自在に連結される同形の側板１０ｂとから構成されている。前記側板１０ａ，１０ｂには、前記綴じ棒２，２を架橋状に貫通させる貫通孔１１，１１が所定の間隔で形成されており、図２及び図３に示されるように、前記一方の側板１０ｂの上端縁には後述する係止板３が屈曲自在に連結されている。また、前記底１２の長手方向の両縁部は、補強のために厚肉部１５が形成されている。
【００３５】
前記底板１２と前記屈曲自在な側板１０ｂとは、図６及び図７に示されるように、前記側板１０ｂの肉厚と略同じ長さＳを有する薄肉部７によって連結されており、前記薄肉部７の両端には前記側板１０ｂが前記底板１２に対して直立する際に相互に係合して前記側板１０ｂの直立状態を支持する突出部６となる第１突条部６１と第２突条部６２が形成されている。
【００３６】
前記薄肉部７は、図７に示されるように、前記底板１２及び側板１０ｂとが直線状に伸びた状態において、前記側板１０ｂの直立方向側の端縁相互を連結すると共に前記底板１２及び側板１０ｂの表面より高さＰだけ前記直立方向へ膨出するように形成されている。また、前記底板１２及び側板１０ｂの非連結側の端縁は、前記薄肉部７の端部から外側に向かって４５度の角度で切欠かれた態様にそれぞれ成形されている。
【００３７】
また、前記薄肉部７の長さは、前記側板を屈曲する際に前記底板１２と側板１０ｂの連結部に作用する圧縮応力及び引張り応力による前記連結部の疲労や可塑変形を防止できる自由度を有するように設定されている。この例のものでは、前記薄肉部７は、前記台板１の肉厚と同じ２ｍｍの長さを有しており、前記底板１２及び側板１０ｂの表面から０.５ｍｍだけ膨出するように形成されている。
【００３８】
前記突出部６は、図４及び図７に示されるように、前記底板１２の端縁部に長手方向に沿って形成される第１突条部６１と、前記薄肉部７を介して前記側板１０ｂの端縁部に前記第１突条部６１と同範囲にわたって形成される第２突条部６２とから構成されており、前記第１突条部６１は前記薄肉部７から上方へ延びる４５度の角度の傾斜面とこの傾斜面に続く水平な頂部を有する断面台形状に成形されており、一方の前記第２突条部６２は、同様に前記薄肉部７から上方へ伸びる４５度の角度の傾斜面とこの傾斜面から上方に突出する突部からなる断面五角形状に成形されている。
【００３９】
このような構成であるから、図８に示されるように、前記側板１０ｂが前記底板１２に対して直立される際には、前記第１突条部６１の頂部及び傾斜面と前記第２突条部６２の突部及び傾斜面とが係合されて前記側板１０ｂの直立状態を支持する断面矩形状の突出部６が形成される。
【００４０】
また、前記他方の側板１０ｂの外面には、前記係止板３との密接な重ね合わせ状態を保持させるために、図４及び図６に示されるように、後述する係止板３の係合孔３２，３２と係脱自在に弾性係合される係合突起１３，１３が所定の位置にそれぞれ突出形成されている。また、図４及び図５に示されるように、前記一方の側板１０には、後述する前記綴じ棒２，２の安定のために前記綴じ棒２，２を連結する基部２５に突出形成された突起２７を挿通させる孔部１４が形成されている。
【００４１】
＊綴じ棒２
綴じ棒２は、図５に示されるように、細くくびれた首部２４とその先端側の頭部２３とが形成される突出端部２１と、前記側板１０ａに押込み阻止状態に保持させるための基部２５が形成される保持端部とから構成される縦長の矩形状断面の棒体であり、この例においては、２本の綴じ棒２，２が矩形状の基部２５によって所定の間隔で連結されている。
【００４２】
前記首部２４は、図５に示されるように、前記綴じ棒２と等幅で上下方向に短くなっている。また、前記頭部２３は、図３に示されるように、前記係止板３を回動させて前記首部２４に係合させるとき、図３の破線で示される前記係止孔３１の軌道軌跡内に収まるようにその先端下部２３１を前記軌道軌跡に合わせた円弧状に成形させている。
【００４３】
前記綴じ棒２の保持端部には、前記側板１０ａの貫通孔１１に押込み可能であるが、前記貫通孔１１を挿通後は前記側板１０ａに抜け止め状態に当接される係合突起２６，２６が形成されている。前記係合突起２６，２６は、図５に示されるように、前記基部２５側へ向かって拡大する三角形状であり前記綴じ棒２の両側にそれぞれ突出形成されている。
また、前記基部２５には、図５に示されるように、前記側板１０ａ，１０ｂに架橋状に貫通された綴じ棒２，２の揺動を防止するために、前記一方の側板１０ａの孔部１４に密に嵌合される円柱状の突起２７が形成されている。
【００４４】
＊係止板３
係止板３は、図４に示されるように、前記側板１０ｂと略一致する大きさの矩形状の平板であり、前述の台板１の底板１２と側板１０ｂと同様に、前記他方の側板１０ｂの上端縁に所定の長さＳの薄肉部７０によって屈曲自在に連結されている。前記係止板３には、前記綴じ棒２の頭部２３を挿通して首部２４に係脱自在に係合される係止孔３１，３１と、前記係合突起１３，１３と弾性係合される小径の係合孔３２，３２と、前記側板１０ｂに重ね合せた状態から取外すための引掛け部３４とが所定の間隔でそれぞれ形成されている。
【００４５】
前記薄肉部７０は、図９に示されるように、前述の前記底板１２に側板１０ｂを連結する薄肉部７と略同じ構成であり、前記側板１０ｂと係止板３とが直線状に伸びた状態において、前記係止板３を前記側板１０ｂに重ね合わせる際の屈曲方向側の端縁相互を連結すると共に、前記側板１０ｂ及び係止板３の表面より高さＰだけ前記屈曲方向へ膨出するように形成されている。また、前記側板１０ｂ及び係止板３の非連結側の端縁は、前記薄肉部７０の端部から外側に向かって４５度の角度で切欠かれた態様にそれぞれ成形されている。
【００４６】
前記係止孔３１は、前記頭部２３と同形の縦長の楕円状であり、前記係止孔３１の短径は前記頭部２３を自在に挿通できるように前記頭部２３の短径よりも大きく設定されているが、その長径は前記頭部２３の長径と略一致する長さに設定されている。また、小径の前記係合孔３２は、前記係合突起１３，１３とスムーズに係脱できるように断面テーパ状となるように成形されている。
【００４７】
前記引掛け部３４は、図４及び図９に示されるように、前記係止板３を側板１０ｂに重ね合わせる際に前記側板１０ｂと引掛け部３４との間に隙間部３５が形成されるように、前記係止板３の係止孔３１，３１相互間において前記係止板３の長辺方向に沿って緩やかなアーチ状に膨出するように形成されており、下方から指先を差込ませ易いように設定されている。
【００４８】
そのため、前記側板１０ｂに密接に重ね合わされた係止板３を取外す際に、下方から前記隙間３５に指先や爪を差し込ませて上方に引上げることで容易に前記側板１０ｂから前記係止板３を引き離すことができる。
また、この例のものでは、前記引掛け部３４と同様の目的のために前記係止板３の長辺方向の両端部は、前記係止板３と側板１０ｂとが重ね合わされた状態で隙間を生じるように所定の範囲にわたって薄肉部３３が形成されている。
【００４９】
＊綴じ具への台紙４，４の綴込み方法
次に、この例の綴じ具への被綴込物である台紙４，４の綴込み方法について以下に説明する。
前記台板１を、図６に示されるように、底板１２と他方の側板１０ｂ、係止板３とが直線状に伸びた状態とし、一方の側板１０ａの外側から綴じ棒２，２を貫通孔１１，１１に差込み、前記綴じ棒２の保持端部の係合突起２６，２６を強制的に前記貫通孔１１，１１に押込ませる。このとき、２本の綴じ棒２，２を相互に連結している基部２５が前記一方の側板１０ａの外面に当接されるため、前記綴じ棒２，２は側板１０ａに対して押込み阻止状態となると共に前記係合突起２６，２６により前記側板１０ｂに対して抜け止め状態に係止される。また、前記基部２５に形成された突起２７により前記綴じ棒２，２の揺動が防止されるため、前記綴じ棒２，２は前記側板１０ａに移動阻止状態に保持される。
【００５０】
次に、図３に示されるように、台紙４，４を開放された他方の側板１０ｂ側からその綴じ穴４０，４０に前記綴じ棒２，２を挿通させてこれに保持させた後、前記側板１０ｂの貫通孔１１，１１に前記綴じ棒２，２の突出端部２１，２１が貫通し外側に突出するように前記側板１０ｂを折り起こして直立させる。次に、前記側板１０ｂに連結されている係止板３を前記側板１０ｂに重ね合わせるように屈曲させると、前記係止板３に形成される係止孔３１，３１が前記突出端部２１の頭部２３を挿通し首部２４に係合され、前記綴じ棒２，２が前記側板１０ｂに抜け止め状態に固定される。また、前記係止板３に同じく形成された係合孔３２と前記係合突起１３とが係合される。
また、前記綴じ棒２，２の固定を解除させるには、前記引掛け部３４に指先を差し込ませて前記係止板３を上方に引上げて前記係止孔３１と首部２４との係合を解除すればよい。
【００５１】
上記のような構成であるため、この例の綴じ具は、台紙４，４を治具等を用いることなく簡単に前記綴じ棒２，２に挿通できると共に、前記係止板３の屈曲によって前記綴じ棒２，２の固定及び固定の解除ができるため、綴じ具への台紙４，４の綴じ込み及び差替え作業が容易であるから再利用し易い。
【００５２】
さらに、この例の綴じ具においては、前述の綴じ具の製造過程において、前記側板１０ｂを屈曲させる際に、前記薄肉部７によって前記底板１２と側板１０ｂとの連結部に作用する引張り応力又は圧縮応力が緩和されると共に、前記第１突条部６１と第２突条部６２とからなる突出部６によって側板１０ｂの過剰な屈曲が阻止されるため、前記側板１０ｂの繰返し屈曲による前記連結部の疲労や可塑変形が防止されて、前記底板１２と側板１０ｂとが容易に断裂されることがない。そのため、このような構成の綴じ具は、再利用を繰返す毎に前記台板１の耐久性が低下して容易に破損されてしまうようなことがなく、台紙４，４を差替えて綴じ具を繰返して再利用する場合にも高い耐久性を維持することができる。
【００５３】
また、前記薄肉部７によって前記底板１２と側板１０ｂの直立方向側の端縁相互が連結された構成となっているから、薄肉部７の長さを短く設定できるため側板１０ｂの直立姿勢及び台板１のＵ字形状が安定する。また、前記薄肉部７が前記直立方向側へ高さＰだけ膨出しているから、前記側板１０ｂが前記屈曲方向とは逆向きに過剰に屈曲される場合も前記底板１２と側板１０ｂの連結部の疲労や可塑変形防止することができる。
【００５４】
また、この例のものでは、前記第１突条部６１と前記第２突条部６２との係合により前記側板１０ｂを直立状態に支持する突出部６が形成されるため、前記底板１２又は側板１０ｂのどちらか一方に突出部６が形成される場合よりも前記側板１０ｂを安定して直立状態に保持することができる。
【００５５】
また、この例のものでは、前記係止板３が前記側板１０ｂの上端縁に前記薄肉部７０によって連結されているから、前記台板１からの前記係止板３の断裂が防止されるため、綴じ具を繰返し再利用する場合も、変らずに綴じ棒の固定及び固定の解除が容易にでき、被綴込み物の綴じ込み及び差替えを容易に行うことができる。
【００５６】
また、前記綴じ棒２の突起２７と前記側板１０ａとの嵌合によって前記側板１０ａ，１０ｂ相互間に架橋される綴じ棒２，２の揺動が防止されるため、前記台紙４，４を安定して挿通保持することができる。
【００５７】
＊その他の実施の形態
前述の例において、前記薄肉部７，７０はともに前記側板１０ｂ又は係止板３の屈曲方向の端縁相互を連結しているが、図１０に示されるように、前記底板１２と側板１０ｂの中心部相互に連結するものであってもよい。また、前記薄肉部７，７０の長さＳや膨出高さＰも前述の例に限られるものではなく、前記側板１０ｂ又は係止板３の屈曲によって前記連結部に作用する引張り応力又は圧縮応力を緩和して、前記連結部の疲労や可塑変形を防止し得るように設定されるものであればよい。
【００５８】
前述の例において、前記突出部６は前記底板１２に形成される第１突条部６１と前記側板１０ｂに形成される第２突条部６２から構成されているが、前記底板１２又は側板１０ｂのどちらか一方のみに前記側板１０ｂを直立状態に支持し得る突出部６が形成されるものであってもよい。図１１及び図１２に示すものでは、前記底板１２のみに断面台形状の突出部６３が形成されている。この突出部６３は、前記側板１０ｂが直立される際に、その垂直面が前記側板１０ｂに当接することで前記側板１０ｂを直立状態に支持して過剰な屈曲を防止するものである。
また、前記突出部６は前記底板１２又は側板１０ｂの長手方向の略全域にわたって突出形成されているが、所定の間隔毎に設けられ複数の突起部からなるものであってもよい。
【００５９】
前述の例において、前記台板１は、前記係止板３が連結される他方の側板１０ｂのみが底板１２に対して屈曲自在に連結されているが、図１３に示されるように、同様に、前記一方の側板１０ａを所定長さＳの薄肉部７によって前記底板１２に屈曲自在に連結するものであってもよい。このような構成としたものでは、前記底板１２と両側板１０ａ，１０ｂ及び係止板３とを直線状に伸ばすことにより前記台板１及び係止板３を１枚の平面板にすることができる。そのため、前記綴じ棒２への台紙４，４の挿通が容易であると共に、綴じ具の流通時や保管時等の不使用時にコンパクトに収納できるため場所を取らない。また、弾性合成樹脂材の平面板からプレス成形によって前記台板１及び係止板３を一体的に成形でるため製造が簡単である。
【００６０】
前述の例において、前記綴じ棒２は、後端に配設された矩形状の基部２５によって２本の綴じ棒２，２が連結された構成となっているが、１本ずつ独立した綴じ棒２であっても３本以上の綴じ棒が連結されていてもよい。
また、前記綴じ棒２は、前記基部２５に形成された突起２７と側板１０ａとを密に嵌合させて前記綴じ棒２，２が揺動を防止しているが、前記一方の側板１０ａと一体的に成形させるものであってもよい。
【００６１】
前述の例において、前記係止板３は前記側板１０ｂと略同じ長さの一枚の平板に成形されているが、記側板１０ｂの上端縁に１つ又は２つの係止孔３１を形成した複数の短い係止板３が各綴じ棒２，２の突出位置と一致するように連結された構成としてもよい。
【００６２】
前述の例においては、見本帳に用いられる綴じ具を示しているが、本発明の綴じ具は、紙片類や小冊子等を綴込ませるためのファイル用品に用いられるものであってもよい。
【図面の簡単な説明】
【図１】  本発明実施の形態の綴じ具を用いた見本帳の部分断面図である。
【図２】  図１の断面図である。
【図３】  綴じ棒と係止板との係合状態を示す断面図である。
【図４】  綴じ具に用いられる台板及び係止板を示す斜視図である。
【図５】  綴じ具に用いられる綴じ棒の斜視図である。
【図６】  綴じ具への台紙の綴込み方法を示す説明図である。
【図７】  底板と側板との連結部を示す拡大断面図である。
【図８】  図７の側板を底板に対して直立させた際の連結部を示す拡大断面図である。
【図９】  側板と係止板との連結部を示す拡大断面図である。
【図１０】  その他の実施の形態の綴じ具の側板と側板の連結部を示す拡大断面図である。
【図１１】  その他の実施の形態の綴じ具の底板と側板の連結部を示す拡大断面図である。
【図１２】  図１１の側板を底板に対して直立させた際の連結部を示す拡大断面図である。
【図１３】  その他の実施の形態の綴じ具の断面図である。
【図１４】  従来の綴じ具を用いた見本帳の断面図である。
【図１５】  従来の綴じ具を用いた見本帳の製造方法を示す断面図である。
【符号の説明】
１  台板
２  綴じ棒
３  係止板
４  台紙
５  表装紙
６  突出部
７，７０  薄肉部
１０，１０ａ，１０ｂ  側板
１２  底板
１３  係合突起
２３  頭部
２４  首部
２５  基部
２７  突起
３１  係止孔
３２  係合孔
３４  引掛け部
５０  背表紙
６１  第１突条部
６２  第２突条部
【図１】
0003746999.tif 000002
【図２】
0003746999.tif 000003
【図３】
0003746999.tif 000004
【図４】
0003746999.tif 000005
【図５】
0003746999.tif 000006
【図６】
0003746999.tif 000007
【図７】
0003746999.tif 000008
【図８】
0003746999.tif 000009
【図９】
0003746999.tif 000010
【図１０】
0003746999.tif 000011
【図１１】
0003746999.tif 000012
【図１２】
0003746999.tif 000013
【図１３】
0003746999.tif 000014
【図１４】
0003746999.tif 000015
【図１５】
0003746999.tif 000016